(57)【要約】【課題】ドライアイスを使用することなく、棺桶内の遺体を効率よく冷却することができる冷却棺桶装置を提供する。【解決手段】底板４１上に安置される遺体３８の直下位置を主体として、底板４１に設けられる複数の通風孔４３を有する棺桶１１と、棺桶１１を載せる載置台１２と、載置台１２内に配置されて、上部に載った棺桶１１の底板４１の通風孔４３部分に向けて、冷風を吹き付ける冷風発生手段とを有し、棺桶１１の底板４１に設けた複数の通風孔４３から冷風を棺桶１１内部に送風することによって棺桶１１内部を冷却し、遺体３８の腐敗を極力防止する。【選択図】　　　　図１
2004129771.tif 000002
【特許請求の範囲】
【請求項１】
底板上に安置される遺体の直下位置を主体として、前記底板に設けられる複数の通風孔を有する棺桶と、
前記棺桶を載せる載置台と、
前記載置台内に配置されて、上部に載った前記棺桶の底板の前記通風孔部分に向けて、冷風を吹き付ける冷風発生手段とを有することを特徴とする冷却棺桶装置。
【請求項２】
請求項１記載の冷却棺桶装置において、前記底板の上に載置されるマット部材の一部又は全部に、前記通風孔に連通する貫通孔が設けられていることを特徴とする冷却棺桶装置。
【請求項３】
請求項１及び２のいずれか１項に記載の冷却棺桶装置において、前記冷風発生手段は、前記載置台の内部に設けられ冷媒が流れる冷媒配管と、該冷媒配管によって降温された冷風を前記棺桶の底部に導くファンと、前記棺桶の底部に吹き付けられた冷風を前記冷媒配管に導く導風手段とを有することを特徴とする冷却棺桶装置。
【請求項４】
請求項３記載の冷却棺桶装置において、前記冷媒配管に前記冷媒を供給する冷媒供給手段が、前記載置台とは別に設けられ、該冷媒供給手段と前記載置台はフレキシブルチューブとワンタッチカプラーによって連結可能となっていることを特徴とする冷却棺桶装置。
【発明の詳細な説明】
【０００１】
【発明の属する技術分野】
本発明は、遺体を収納する棺桶内を冷却する冷却棺桶装置に関する。
【０００２】
【従来の技術】
人が死亡した場合には、遺体を柩や棺桶の中に収めておく期間は、通夜や告別式を行うことで３〜４日程度であり、この間遺体を棺桶に入れたまま保存しておくと、腐敗が進行し死臭が発生する。そこで、通常は遺体の保存剤としてドライアイスを棺桶内に配置している。
また、棺桶又は遺体収納袋内に液化ガス供給スペースを形成し、液化ガス供給スペース内に液化ガスを供給することにより、棺桶又は遺体収納袋内を冷却処理しつつ滅菌処理していた（例えば、特許文献１参照）。
【０００３】
【特許文献１】
特開平９−３０８６５９号公報
【０００４】
【発明が解決しようとする課題】
しかしながら、ドライアイスを遺体に直接触れるようにして配置すると皮膚が変色し、一見しても冷たく感じ、遺体に対して哀れみを感じる。
また、ドライアイスは時間の経過と共に消滅するので、適当に補充する必要があり、この場合、棺桶の中にあるドライアイスの袋を全部取り出して新しいドライアイスを詰め込む作業を行うことになるが、遺体に対面して行うことになり辛い仕事になる。
そして、火葬時においても、棺桶の中にドライアイスが入っている場合には、高温状態（例えば、８００℃）になるのに時間がかかり、このためダイオキシンが発生している。火葬の場合には棺桶からダイオキシンが発生するような要素を除去するように義務付けられているが、実際にはなかなか実行されていない。
【０００５】
また、特許文献１の発明では、高価な液化ガスを供給するので、コストがかかるという問題があった。また、液化ガスとして、炭酸ガスを用いているので、炭酸ガスはスノードライアイスとなり、前記した問題も発生する。また、炭酸ガスは、地球温暖化現象の原因物質とされているので、地球規模での環境破壊の原因となるという問題があった。
本発明はかかる事情に鑑みてなされたもので、ドライアイスを使用することなく、棺桶内の遺体を効率よく冷却することができる冷却棺桶装置を提供することを目的とする。
【０００６】
【課題を解決するための手段】
前記目的に沿う本発明に係る冷却棺桶装置は、底板上に安置される遺体の直下位置を主体として、底板に設けられる複数の通風孔を有する棺桶と、棺桶を載せる載置台と、載置台内に配置されて、上部に載った棺桶の底板の通風孔部分に向けて、冷風を吹き付ける冷風発生手段とを有する。これによって、載置台内に設けた冷風発生手段によって発生した冷風は、棺桶内の遺体の直下位置にある底板に設けられた通風孔から、棺桶内部に送られ、棺桶内部の遺体を効率的に冷却することができると共に、ドライアイスを使用しなくてもよい。
本発明に係る冷却棺桶装置において、底板の上に載置されるマット部材の一部又は全部に、通風孔に連通する貫通孔を設けてもよい。これによって、冷風を棺桶内部に送風し易くなる。
【０００７】
本発明に係る冷却棺桶装置において、冷風発生手段は、載置台の内部に設けられ冷媒が流れる冷媒配管と、冷媒配管によって降温された冷風を棺桶の底部に導くファンと、棺桶の底部に吹き付けられた冷風を冷媒配管に導く導風手段とを有してもよい。これによって、棺桶の底部に吹き付けられる冷風が循環するので、棺桶を効率的に冷却することができる。
本発明に係る冷却棺桶装置において、冷媒配管に冷媒を供給する冷媒供給手段が、載置台とは別に設けられ、冷媒供給手段と載置台はフレキシブルチューブとワンタッチカプラーによって連結可能となってもよい。これによって、冷媒供給手段と載置台が分離しているので、メンテナンスが簡単である。また、フレキシブルチューブとワンタッチカプラーで連結されるので、簡単に、速く連結することができる。
【０００８】
【発明の実施の形態】
続いて、添付した図面を参照しつつ、本発明を具体化した実施の形態につき説明し、本発明の理解に供する。
ここで、図１は本発明の一実施の形態に係る冷却棺桶装置の説明図、図２（Ａ）は同冷却棺桶装置の載置台の平面図、（Ｂ）は同冷却棺桶装置の冷媒配管の配置図、（Ｃ）は同冷却棺桶装置のファンの配置図、図３は同冷却棺桶装置の棺桶本体の平面図、図４は同冷却棺桶装置のファンによる冷風の流れを示す説明図、図５（Ａ）は同冷却棺桶装置の冷媒供給手段の説明図、（Ｂ）は変形例に係る冷媒供給手段の説明図、図６は同冷却棺桶装置の棺桶の蓋の説明図である。
【０００９】
図１〜図４を参照しながら、本発明の一実施の形態に係る冷却棺桶装置１０を説明する。冷却棺桶装置１０は、棺桶１１と、棺桶１１を載せる載置台１２と、載置台１２内に配置されて、上部に載った棺桶１１の底部に冷風を吹き付ける冷風発生手段、及びこの冷風発生手段に冷媒を供給する冷媒供給手段１３を有している。以下、これらについて詳しく説明する。
図１、図２（Ａ）〜（Ｃ）に示すように、載置台１２は、棺桶１１の底部と実質的に同じ広さの天井板１４、底板１５、及び側板１６〜１９を有し、底板１５及び側板１６〜１９の内側部分には、発泡合成樹脂シート等からなる断熱シート２０が貼着されている。
前記した冷風発生手段は、載置台１２の内部に設けられ冷媒が流れる冷媒配管２１と、冷媒配管２１によって降温された冷風を棺桶１１の底部に導くファン２２（本実施の形態では、３つ）と、棺桶１１の底部に吹き付けられた冷風を冷媒配管２１に導く導風手段の一例である複数の貫通孔２３とを備えている。
【００１０】
冷媒配管２１は、熱伝導性のよい銅又はアルミニウムからなり、平面視して一部をジグザグ状に屈曲させて、図示しない支持部材によって載置台１２の底板１５に少しの隙間を設けて固定されている。冷媒配管２１のそれぞれの端部（すなわち、液入口及び液出口）は側板１６に固定されているワンタッチカプラーの一方側の雌継手２４、２５に連結されている。このワンタッチカプラーの一方側の雌継手２４、２５にはバルブ機構が設けられ、ワンタッチカプラーの他方側の雄継手２６、２７を装着した場合には、雄継手２６、２７のバルブ機構が開くと共に、ワンタッチカプラーの雌継手２４、２５のバルブ機構も開いて連結したワンタッチカプラー内を冷媒が流れるようになっている。
【００１１】
図４に示すように、載置台１２の天井板１４と冷媒配管２１の間には、ファン２２が複数例えば、３つ長手方向に所定の間隔で設けられている。ファン２２は、ファン本体２８が支持部材２９を介して枠体３０に取付けられており、枠体３０の４隅の取付け孔３１で、ねじ３２によって天井板１４に固定されている。更に、各ファン２２の上方の天井板１４には、ファン２２から送られる冷風の送風孔３３が設けられている。これによって、冷媒配管２１によって冷やされた空気を棺桶１１の底部に吹き付けることができる。また、載置台１２の天井板１４の各送風孔３３の周りであり、ファン２２の直上位置より外側には、小径の多数の貫通孔２３が設けられている。
ファン２２の電源供給用の雄型コネクター３４が側板１６に設けられ、これに対となる雌型コネクター３５を先部に備えたコード３６が接続できるようになっている。雄型コネクター３４から、各ファン２２に電気配線３７が設けられ、各ファン２２に電気を供給している。
なお、それぞれのワンタッチカプラーの雌継手２４、２５及び雄型コネクター３４は長手方向の側板１６に取付けたが、これと直交する短手方向の側板１７、１９のいずれか一方に取付けてもよい。
【００１２】
次に、棺桶１１について説明する。図１、図３に示すように、棺桶１１は、遺体３８を収納（安置）する棺桶本体３９と蓋４０を有している。棺桶本体３９は底板４１とその周囲の側板４２を有している。底板４１には、載置台１２の天井板１４に設けられた送風孔３３に対峙する部分にそれぞれ複数（例えば、９ずつ）の通風孔４３が設けられている。従って、通風孔４３は図３に示すように、棺桶１１内に安置される遺体３８の直下位置に設けられることになる。更に、底板４１の上には、マット部材の一例である畳４４が載置されている。畳４４には、複数の通風孔４３のそれぞれに連通した貫通孔４５が設けられている。ファン２２から送られ、送風孔３３を通った冷風は、通風孔４３、貫通孔４５から棺桶１１内部に送られる。
【００１３】
また、底板４１の下部には、複数、例えば４本の桟木４６が備えられ、棺桶本体３９の底板４１と載置台１２の天井板１４との間に隙間を形成している。この隙間によって、ファン２２から底板４１に吹き付けられた冷風は、一部は通風孔４３、畳４４の貫通孔４５を通過して、棺桶１１内部に入り、棺桶１１内部を冷却し、残りは、貫通孔２３を通り、載置台１２内の冷媒配管２１に導かれ、再び、冷却される。この冷却された冷風が更にファン２２により、棺桶１１の底部に吹き付けられる。
本発明の一実施の形態では、棺桶１１の底部には桟木４６が設けられているが、桟木を有しない棺桶においては、棺桶１１の下部の周囲に同じ高さの複数の木材を配置し、更に、桟木となるように、間隔を有して前記した木材と同じ高さの木材を棺桶と載置台の間に挟み、空間を作り、効率よく棺桶を冷却することもできる。
【００１４】
また、載置台１２内部は、図１、図４に示すように、冷媒配管２１により空気が冷やされ、水滴を生じることがあるので、載置台１２内側下部には、プラスチック等で形成した水槽からなる水受け部４７を設けている。更に、水受け部４７から側板１６を貫通して、図示しない三方コックを備えた水抜き配管４８を設けている。水受け部４７に水が溜まるまでは、水抜き配管４８の三方コックを閉じておき、水受け部４７に溜まった水を抜くときは、水抜き配管４８の先端にドレインチューブ４９を装着し、三方コックを開け、ドレインチューブ４９から水受け部４７の水を流し、水受け部４７内の水を除去する。
【００１５】
次に、図５（Ａ）を参照しながら、冷媒配管２１に冷媒を供給する冷媒供給手段１３について説明する。冷媒供給手段１３は蒸発圧縮式の冷凍機５０と、冷凍機５０から直接授受される冷却液体によって冷却される冷凍機用冷媒配管５１が浸漬された冷媒タンク５２と、冷媒タンク５２から冷媒を汲みだすポンプ５３を有している。冷凍機５０は通常生の食品を保持するのに使用される周知で市販の冷凍機が使用されている。冷媒タンク５２はステンレス製の容器からなって上部に液補給用のねじ蓋５４を備えている。冷媒タンク５２に入れる冷媒としては、水でもよいが凍る恐れがあるので、不凍液や所定量の砂糖を入れた凝固点の低い水を使用する。
ポンプ５３に接続された配管５５は、継手５６に接続され、継手５６にはワンタッチカプラーの雄継手２６が先端に設けられたフレキシブルチューブ５７の基端が連結されている。また、ワンタッチカプラーの雄継手２７が先端に設けられているフレキシブルチューブ５８の基端は、継手５９に接続されている。冷凍機５０の電力は電源プラグ６０から供給される。
なお、冷媒供給手段１３は全体が断熱材で包まれて外部の温度が影響しない構造となっている。
【００１６】
また、図５（Ｂ）に示すように冷媒供給手段の変形例に係る蒸発圧縮式の冷凍機６１を用いてもよい。冷凍機６１は、冷媒としてフッ素化合物（フロン）が使われている。冷凍機６１は、電動機６２、電動機６２により冷媒を圧縮する圧縮機６３を有している。また、冷凍機６１は、圧縮機６３で圧縮された冷媒を凝縮する図示しない凝縮器（放熱器ともいう）を有し、この凝縮器内には冷凍機用冷媒配管６４が設けられている。また、圧縮機６３で圧縮されて高温となった冷媒を冷却するファン６５が冷凍機用冷媒配管６４に向けて、冷凍機６１内に設けられている。冷凍機用冷媒配管６４は、継手６６に接続され、継手６６にはワンタッチカプラーの雄継手２６ａが先端に設けられたフレキシブルチューブ６７の基端が連結されている。また、圧縮機６３の上流側には、ワンタッチカプラーの雄継手２７ａが先端に設けられているフレキシブルチューブ６８の基端が、圧縮機６３に接続された配管６９に継手７０を介して連結されている。なお、継手６６、７０、雄継手２６ａ、２７ｂはストッパ弁が設けられている。冷凍機６１の電力は電源プラグ７１から供給される。
【００１７】
冷凍機６１内の冷媒は、まず、電動機６２により駆動される圧縮機６３により圧縮され、温度と圧力が上昇する。圧縮された冷媒は、冷凍機用冷媒配管６４内で放熱して液化する。更に、ファン６５により、冷凍機用冷媒配管６４は冷却される。冷媒は、冷凍機用冷媒配管６４内で、低温、例えば−３０℃に冷却される。冷媒は、フレキシブルチューブ６７から冷媒配管２１に送られ、更に、冷媒配管２１に設けられた図示しない膨張弁に送られる。膨張弁を通過した冷媒は、膨張し、載置台１２内の冷媒配管２１近傍の空気から熱を吸収し温度が上がる。この際に、載置台１２内を冷却する。載置台１２内の冷媒配管２１を通過した温度の高い冷媒は、フレキシブルチューブ６８、配管６９から、再び、圧縮機６３に送られる。
なお、蒸発圧縮式の冷凍機６１は全体が断熱材で包まれて外部の温度が影響しない構造となっている。
【００１８】
図１、図６に示すように、棺桶１１の蓋４０は、長方形の天井板７２及びその周囲の高さの低い側板７３〜７６を有し、天井板７２の一方側には従来方式の開閉窓７７が設けられている。開閉窓７７は、遺体３８を棺桶本体３９内に入れた場合に、遺体３８の頭部全体が見える位置及び大きさで形成されている。
天井板７２の下側面（棺桶１１の内側となる部分）の中央部には幅方向に所定の間隔で例えば３本の殺菌灯７８を平行に配置している。殺菌灯７８により、遺体３８に付着している病原菌等の細菌を死滅させることができ、遺体３８の腐食を防止すると共に、遺族が遺体３８に触れた際の二次感染を防止することができる。
蓋４０の側板７６には、殺菌灯７８の電源供給用の雄型コネクター７９が設けられ、これに対となる雌型コネクター８０を先部に持つコード８１を外部から接続できるようになっている。雄型コネクター７９から、各殺菌灯７８に図示しない電気配線が設けられ、各殺菌灯７８に電気を供給している。なお、コード８１は、冷媒供給手段１３に接続され、電気を供給している。
【００１９】
更に、蓋４０の内側面には、酸化チタンからなる光触媒の塗料が塗布されている。前記した殺菌灯７８から放射された紫外線をこの光触媒に照射すると、遺体３８から発生する異臭や窒素酸化物等を分解し、悪臭防止ができる。
なお、火葬時には、予備蓋８２が用意される。この予備蓋８２は、遺体３８を安置している場所（自宅、葬祭場）から、出棺する場合に使用し、遺体３８と一緒に火葬される。この予備蓋は、従来の木製の開閉窓を有する蓋であってもよいし、開閉窓の有しないものであってもよい。蓋４０を予備蓋８２に取り替えるので、高価な蓋４０を繰り返し使用できる。
【００２０】
また、殺菌灯７８の一つには図示しない熱電対（温度センサーの一例）が設けられ、また、前記した殺菌灯７８及び熱電対に雄型及び雌型コネクター７９、８０及びコード８１を介して接続される図示しない制御装置が冷媒供給手段１３内に配置され、棺桶１１内の温度を測定して、図示しない調整摘まみ等によって設定された温度範囲より高い場合には、冷凍機５０を運転して冷媒タンク５２内の冷媒の温度を下げて棺桶１１内の空気温度を下げ、棺桶１１内の温度が低すぎる場合には、冷凍機５０の運転を止めて冷媒の温度を上昇させ、棺桶１１内の空気温度を高めて、棺桶１１内の温度が常時一定の温度範囲にあるように制御している。
【００２１】
続いて、冷却棺桶装置１０の使用方法及びその作用について説明する。
まず、最初に棺桶本体３９内に亡くなった直後の遺体３８を収納し、蓋４０をして、載置台１２上に棺桶１１を配置する。遺体３８は、底板４１の上に載置された貫通孔４５を備えた畳４４、畳４４の上に配置された布団８４及び枕８５の上に安置されている。
そして、図１に示すように、冷媒配管２１と冷媒供給手段１３を連結するフレキシブルチューブ５７、５８をワンタッチカプラーを介して接続すると共に、コード３６を雄型、雌型のコネクター３４、３５を介して電気配線３７に接続する。更に、冷媒供給手段１３の電源プラグ６０を電源に接続し、図示しないスイッチをオンにすると、ポンプ５３に電力が供給されて、冷媒供給手段１３から載置台１２内部の冷媒配管２１に冷媒を送ると共に、ファン２２に電力が供給されて回転し、冷媒配管２１によって、冷却された空気を棺桶本体３９の底に吹き付けて、底板４１を冷却すると共に、底板４１に穿設された通風孔４３、及び通風孔４３に連通する畳４４に穿設された貫通孔４５から棺桶１１内部に冷風を送り込み棺桶１１を冷却することが可能となる。
【００２２】
更に、蓋４０の雄型コネクター７９と冷媒供給手段１３のコード８１の先端の雌型コネクター８０を接続する。ここで、冷媒供給手段１３の電源プラグ６０が電源に接続され、図示しないスイッチがオンになっているので、殺菌灯７８に電力が供給されて、紫外線が遺体３８に照射され、遺体３８に付着する病原菌を死滅させることができる。更に、照射された紫外線により、光触媒が活性化し、遺体３８から発生する異臭や窒素酸化物等を分解し、悪臭防止ができる。
また、殺菌灯７８に取付けた熱電対による棺桶１１内部の温度データが冷媒供給手段１３の制御装置に送られる。
通常の状態では、棺桶１１内の温度は、所定の設置温度（例えば、２〜５℃）より高いので、冷凍機５０が作動し、冷媒を冷却する。ポンプ５３も同時に回転するので、冷媒タンク５２から冷やされた冷媒が冷却配管２１に供給され、ファン２２の回転によって棺桶本体３９の底部を冷却し、その伝熱により、棺桶１１内部を冷却する。棺桶１１内の温度が下がることによって、含まれている水蒸気が飽和するが、通風孔４３によって水分が除去されるので、棺桶１１内に水滴が発生することはない。
【００２３】
以上の動作によって、棺桶１１内の遺体３８を低温状態で保持でき、遺体３８の腐敗の進行を緩めることができる。
出棺する場合には、蓋４０を外して、予備蓋８２を使用する。この予備蓋８２は木製の蓋であるので、安価であり、値段の比較的高価な蓋４０の焼失を免れることができ、蓋４０及び冷媒供給手段１３は繰り返し使用する。
なお、開閉窓７７の構造は従来の一般の棺桶の場合と同様であり、この開閉窓７７から中を見ても、殺菌灯７８は見えないようになっているので、見る人に不快感や違和感を与えない。
【００２４】
本発明は、前記した実施の形態に限定されるものではなく、本発明の要旨を変更しない範囲での変更は可能であり、例えば、前記した実施の形態や変形例の一部又は全部を組み合わせて本発明の冷却棺桶装置を構成する場合も本発明の権利範囲に含まれる。
例えば、前記実施の形態においては、ファンの数は３であったが、それ以外の数であってもよい。また、ファンを大型のものとして、棺桶の底板に広く冷風を吹き付けてもよい。また、ファンは冷却配管の上部に設けているが、冷却配管の下部にファンを設置し、棺桶の底板に向けて送風してもよい。更に、通風孔を棺桶の底板に広く分布させてもよく、マット部材にも通風孔に連通する貫通孔を設けてもよい。また、冷却配管に放熱面積を増加させるフィンを付けてもよい。
また、殺菌灯の数も３であるが、それ以外の数であってもよい。
載置台及び蓋は、それぞれ分割可能に形成してもよい。また、載置台内に冷媒供給手段を組み込んでもよい。
載置台の天井板に設けた貫通孔は断面四角形の形状に形成しているが、その形状は限定されない。また、載置台の貫通孔直上に、金網を取付けてもよい。
蓋の開閉窓は手動開閉であったが、自動開閉にしてもよい。
光触媒は塗料を用いたが、フィルムを貼り付けてもよく、また、光触媒の微粉末を吹き付けてもよい。
棺桶の底板の上に、畳、布団、枕を配置したが、それぞれの宗教等により、この限りではない。
【００２５】
【発明の効果】
請求項１〜４記載の冷却棺桶装置においては、底板上に安置される遺体の直下位置を主体として、底板に設けられる複数の通風孔を有する棺桶と、棺桶を載せる載置台と、載置台内に配置されて、上部に載った棺桶の底板の通風孔部分に向けて、冷風を吹き付ける冷風発生手段とを有するので、載置台内に設けた冷風発生手段によって発生した冷風は、棺桶内の遺体の直下位置にある底板に設けられた通風孔から、棺桶内部に送られ、棺桶内部の遺体を効率的に冷却することができると共に、ドライアイスを使用しなくてもよい。
特に、請求項２記載の冷却棺桶装置においては、底板の上に載置されるマット部材の一部又は全部に、通風孔に連通する貫通孔が設けられているので、冷風を棺桶内部に送風し易くなる。
【００２６】
また、請求項３記載の冷却棺桶装置においては、冷風発生手段は、載置台の内部に設けられ冷媒が流れる冷媒配管と、冷媒配管によって降温された冷風を棺桶の底部に導くファンと、棺桶の底部に吹き付けられた冷風を冷媒配管に導く導風手段とを有しているので、棺桶の底部に吹き付けられる冷風が循環し、棺桶を効率的に冷却することができる。
請求項４記載の冷却棺桶装置においては、冷媒配管に冷媒を供給する冷媒供給手段が、載置台とは別に設けられ、冷媒供給手段と載置台はフレキシブルチューブとワンタッチカプラーによって連結可能となっているので、冷媒供給手段と載置台のメンテナンスが簡単である。また、フレキシブルチューブとワンタッチカプラーの連結は、簡単に、速く連結することができる。
【図面の簡単な説明】
【図１】本発明の一実施の形態に係る冷却棺桶装置の説明図である。
【図２】（Ａ）は同冷却棺桶装置の載置台の平面図、（Ｂ）は同冷却棺桶装置の冷媒配管の説明図、（Ｃ）は同冷却棺桶装置のファンの説明図である。
【図３】同冷却棺桶装置の棺桶本体の平面図である。
【図４】同冷却棺桶装置のファンによる冷風の流れを示す説明図である。
【図５】（Ａ）は同冷却棺桶装置の冷媒供給手段の説明図、（Ｂ）は変形例に係る冷媒供給手段の説明図である。
【図６】同冷却棺桶装置の棺桶の蓋の説明図である。
【符号の説明】
１０：冷却棺桶装置、１１：棺桶、１２：載置台、１３：冷媒供給手段、１４：天井板、１５：底板、１６〜１９：側板、２０：断熱シート、２１：冷媒配管、２２：ファン、２３：貫通孔、２４、２５：雌継手、２６、２６ａ、２７、２７ａ：雄継手、２８：ファン本体、２９：支持部材、３０：枠体、３１：取付け孔、３２：ねじ、３３：送風孔、３４：雄型コネクター、３５：雌型コネクター、３６：コード、３７：電気配線、３８：遺体、３９：棺桶本体、４０：蓋、４１：底板、４２：側板、４３：通風孔、４４：畳、４５：貫通孔、４６：桟木、４７：水受け部、４８：水抜き配管、４９：ドレインチューブ、５０：冷凍機、５１：冷凍機用冷媒配管、５２：冷媒タンク、５３：ポンプ、５４：ねじ蓋、５５：配管、５６：継手、５７、５８、：フレキシブルチューブ、５９：継手、６０：電源プラグ、６１：冷凍機、６２：電動機、６３：圧縮機、６４：冷凍機用冷媒配管、６５：ファン、６６：継手、６７、６８：フレキシブルチューブ、６９：配管、７０：継手、７１：電源プラグ、７２：天井板、７３〜７６：側板、７７：開閉窓、７８：殺菌灯、７９：雄型コネクター、８０：雌型コネクター、８１：コード、８２：予備蓋、８４：布団、８５：枕
【図１】
2004129771.tif 000003
【図２】
2004129771.tif 000004
【図３】
2004129771.tif 000005
【図４】
2004129771.tif 000006
【図５】
2004129771.tif 000007
【図６】
2004129771.tif 000008